【手続補正書】
【提出日】令和3年6月15日(2021.6.15)
【手続補正１】
【補正対象書類名】特許請求の範囲
【補正対象項目名】全文
【補正方法】変更
【補正の内容】
【特許請求の範囲】
【請求項１】
ハウジングと、
動作中、電気回路を含む対象シーンからの赤外放射を検出し、前記電気回路のためのサーモグラフ画像データを生成する、前記ハウジング内又は前記ハウジング上に配置された熱撮像ツールと、
動作中、前記電気回路の絶縁導体の電圧を、前記絶縁導体にガルバニック接触することなく、検知する非接触電圧測定ツール（ＮＶＭＴ）と、
動作中、前記電気回路の絶縁導体の電流を、前記絶縁導体にガルバニック接触することなく、検知する非接触電流測定ツール（ＮＣＭＴ）と、
表示サブシステムと、
プロセッサ実行可能命令又はデータのうちの少なくとも一方を記憶する少なくとも１つの非一時的プロセッサ可読記憶媒体と、
前記少なくとも１つの非一時的プロセッサ可読記憶媒体と、前記熱撮像ツールと、前記ＮＶＭＴと、前記ＮＣＭＴと、前記表示サブシステムとに通信可能に連結された少なくとも１つのプロセッサと、を備える、非接触測定装置であって、動作中、前記少なくとも１つのプロセッサは、
前記熱撮像ツールからサーモグラフ画像データを受信することと、
前記電気回路の異常発熱の場所の有無を示す前記サーモグラフ画像データを、前記表示サブシステムによって、提示することと、
前記ＮＶＭＴ又は前記ＮＣＭＴのうちの少なくとも一方から測定データを受信することであって、前記測定データは、前記ＮＶＭＴからの電圧センサ信号又は前記ＮＣＭＴからの電流センサ信号のうちの少なくとも一方を含み、前記電圧センサ信号は、前記電気回路の絶縁導体の電圧を示し、前記電流センサ信号は、前記電気回路の絶縁導体の電流を示す、ことと、を行う、非接触測定装置。
【請求項２】
前記ハウジングは、外部に露出した導電面を有さない、請求項１に記載の非接触測定装置。
【請求項３】
前記ＮＶＭＴ、前記ＮＣＭＴ、又は前記表示サブシステムのうちの少なくとも１つは、前記ハウジング内又は前記ハウジング上に配置される、請求項１に記載の非接触測定装置。
【請求項４】
前記ＮＶＭＴ及び前記ＮＣＭＴはそれぞれ、前記ハウジング内又は前記ハウジング上に配置される、請求項１に記載の非接触測定装置。
【請求項５】
前記ＮＶＭＴ又は前記ＮＣＭＴのうちの少なくとも一方は、別のハウジング内に配置され、有線又は無線接続を介して、前記少なくとも１つのプロセッサに通信可能に連結されている、請求項１に記載の非接触測定装置。
【請求項６】
動作中、前記少なくとも１つのプロセッサは、前記測定データに基づいて、少なくとも１つの電気パラメータを判定し、該少なくとも１つの電気パラメータは、電力を含む、請求項１に記載の非接触測定装置。
【請求項７】
動作中、前記少なくとも１つのプロセッサは、
ある期間にわたる前記電気回路の絶縁導体における電力損失量を推定することと、更に、
前記表示サブシステムによって、前記電力損失量を提示することと、又は
有線若しくは無線通信インタフェースを介して、前記電力損失量を外部装置に伝達することのうちの少なくとも一方を行う、請求項１に記載の非接触測定装置。
【請求項８】
前記ある期間は、日数、週数、月数、又は年数のうちの少なくとも１つを含む、請求項７に記載の非接触測定装置。
【請求項９】
動作中、前記少なくとも１つのプロセッサは、前記絶縁導体における電力損失量を、前記絶縁導体における予測電力損失量と比較して推定する、請求項７に記載の非接触測定装置。
【請求項１０】
動作中、前記少なくとも１つのプロセッサは、
前記電力損失量に関連付けられた推定コストを判定することと、
前記推定コストを前記表示サブシステムによって提示することと、を行う、請求項７に記載の非接触測定装置。
【請求項１１】
前記ＮＶＭＴは、前記電気回路の少なくとも２つの異なる場所の同時測定を可能にする少なくとも２つの非接触電圧センサを含む、請求項１に記載の非接触測定装置。
【請求項１２】
前記ＮＣＭＴは、フラックス・ゲートセンサ、ホール効果センサ、ロゴウスキーコイル、変流器、又は巨大磁気抵抗（ＧＭＲ）磁気センサのうちの少なくとも１つを含む、請求項１に記載の非接触測定装置。
【請求項１３】
前記ＮＶＭＴは、容量分圧器型電圧センサ、基準信号型電圧センサ、又はマルチコンデンサ型電圧センサのうちの少なくとも１つを含む、請求項１に記載の非接触測定装置。
【請求項１４】
動作中、前記少なくとも１つのプロセッサは、
測定時間間隔中、前記ＮＶＭＴによって取得された前記ＮＶＭＴからの電圧センサ信号を受信することと、
前記測定時間間隔中、前記ＮＣＭＴによって取得された前記ＮＣＭＴからの電流センサ信号を受信することと、
少なくとも１つの交流（ＡＣ）電気パラメータを、前記電圧センサ信号及び前記電流センサ信号に基づいて判定することと、を行う、請求項１に記載の非接触測定装置。
【請求項１５】
動作中、前記少なくとも１つのプロセッサは、前記表示サブシステムに、前記少なくとも１つのＡＣ電気パラメータを提示させる、請求項１４に記載の非接触測定装置。
【請求項１６】
前記少なくとも１つのプロセッサに動作可能に連結された有線又は無線通信インタフェースを更に備え、動作中、前記少なくとも１つのプロセッサは、前記有線又は無線通信インタフェースを介して、データを少なくとも１つの外部装置に送り、前記データは、前記サーモグラフ画像データ、前記電圧センサ信号、前記電流センサ信号、又は前記少なくとも１つのＡＣ電気パラメータのうちの少なくとも１つに関連付けられている、請求項１４に記載の非接触測定装置。
【請求項１７】
前記有線又は無線通信インタフェースは、動作中、前記少なくとも１つの外部装置に前記データを無線で送る無線通信インタフェースを含む、請求項１６に記載の非接触測定装置。
【請求項１８】
非接触測定装置を動作させる方法であって、前記方法は、
前記非接触測定装置のハウジング内又はハウジング上に配置された熱撮像ツールによって、電気回路を含む対象シーンからの赤外放射を検出することと、
前記熱撮像ツールによって、前記電気回路のためのサーモグラフ画像データを生成することと、
少なくとも１つのプロセッサが、前記熱撮像ツールから前記サーモグラフ画像データを受信することと、
表示サブシステムによって、前記電気回路における異常発熱の場所の有無を示す前記サーモグラフ画像データを提示することと、
非接触電圧測定ツール（ＮＶＭＴ）によって、前記電気回路の絶縁導体の電圧を、前記絶縁導体にガルバニック接触することなく検知することと、又は
非接触電流測定ツール（ＮＣＭＴ）によって、前記電気回路の絶縁導体の電流を、前記絶縁導体にガルバニック接触することなく検知することと、のうちの少なくとも一方と、
前記少なくとも１つのプロセッサが、前記ＮＶＭＴ又は前記ＮＣＭＴのうちの少なくとも一方から測定データを受信することであって、前記測定データは、前記ＮＶＭＴからの電圧センサ信号又は前記ＮＣＭＴからの電流センサ信号のうちの少なくとも一方を含み、前記電圧センサ信号は、前記電気回路の絶縁導体の電圧を示し、前記電流センサ信号は、前記電気回路の絶縁導体の電流を示す、ことと、
前記少なくとも１つのプロセッサが、前記測定データに基づいて、少なくとも１つの交流（ＡＣ）電気パラメータを判定することと、を含む、方法。
【請求項１９】
前記方法は、
前記ＮＶＭＴによって、前記電気回路の絶縁導体の電圧を、前記絶縁導体にガルバニック接触することなく検知することと、
前記ＮＣＭＴによって、前記電気回路の絶縁導体の電流を、前記絶縁導体にガルバニック接触することなく検知することと、を含み、
前記少なくとも１つのＡＣ電気パラメータを判定することは、ＡＣ電力を判定することを含む、請求項１８に記載の方法。
【請求項２０】
前記少なくとも１つのプロセッサが、ある期間にわたる前記電気回路の絶縁導体における電力損失量を推定することと、
前記表示サブシステムによって、前記電力損失量を提示することと、又は
有線若しくは無線通信インタフェースを介して、前記電力損失量を外部装置に伝達することと、のうちの少なくとも一方を更に含む、請求項１８に記載の方法。
【請求項２１】
前記少なくとも１つのプロセッサが、前記電力損失量に関連付けられた推定コストを判定することと、
前記コストを前記表示サブシステムによって提示することと、を更に含む、請求項２０に記載の方法。
【請求項２２】
前記電気回路の絶縁導体の電圧を、前記絶縁導体にガルバニック接触することなく検知することは、前記電気回路の２つの異なる場所を２つの非接触電圧センサで同時に検知して、前記電気回路の前記少なくとも２つの異なる場所の間の電圧降下を取得することを含む、請求項１８に記載の方法。
【請求項２３】
動作中、電気回路を含む対象シーンからの赤外放射を検出し、前記電気回路のためのサーモグラフ画像データを生成する、熱撮像ツールと、
動作中、前記電気回路の絶縁導体の電圧を、前記絶縁導体にガルバニック接触することなく、検知する非接触電圧測定ツール（ＮＶＭＴ）と、
動作中、前記電気回路の絶縁導体の電流を、前記絶縁導体にガルバニック接触することなく、検知する非接触電流測定ツール（ＮＣＭＴ）と、
プロセッサ実行可能命令又はデータのうちの少なくとも一方を記憶する少なくとも１つの非一時的プロセッサ可読記憶媒体と、
前記少なくとも１つの非一時的プロセッサ可読記憶媒体と、前記熱撮像ツールと、前記ＮＶＭＴと、前記ＮＣＭＴと、に通信可能に連結された少なくとも１つのプロセッサと、を備える、非接触測定装置であって、動作中、前記少なくとも１つのプロセッサは、
前記熱撮像ツールからサーモグラフ画像データを受信することと、
該サーモグラフ画像データの少なくとも一部に基づいて、前記電気回路の異常発熱の場所の有無を表示することと、
前記ＮＶＭＴ又は前記ＮＣＭＴのうちの少なくとも一方から測定データを受信することであって、前記測定データは、前記ＮＶＭＴからの電圧センサ信号又は前記ＮＣＭＴからの電流センサ信号のうちの少なくとも一方を含み、前記電圧センサ信号は、前記電気回路の絶縁導体の電圧を示し、前記電流センサ信号は、前記電気回路の絶縁導体の電流を示す、ことと、
前記サーモグラフ画像データの少なくとも一部に基づいた前記電気回路の異常発熱の場所の有無の表示に関連して、表示サブシステムによって、前記測定データの少なくとも一部を提示することと、を行う、非接触測定装置。